(57)【要約】【課題】効率的に対象移動局ＵＥに所望無線品質を測定させて報告させる。【解決手段】本発明に係る移動通信方法は、上位ノード１０が、収集した各移動局ＵＥに係る情報（例えば、「ＵＥ  ｃａｐａｂｉｌｉｔｙ」等）に基づいて、対象移動局ＵＥ及び「ＭＤＴ  ｐｏｌｉｃｙ（所望無線品質の測定及び報告方法）」を選択する工程と、上位ノード１０が、無線基地局ｅＮＢに対して、対象移動局ＵＥ及び「ＭＤＴ  ｐｏｌｉｃｙ」を通知する工程と、無線基地局ｅＮＢが、対象移動局ＵＥに対して、「ＭＤＴ  ｐｏｌｉｃｙ」に基づいて「ＭＤＴ」を行うように指示する工程とを有する。【選択図】図３
2011223118.tif 000002
【特許請求の範囲】
【請求項１】
対象移動局に所望無線品質を測定させて報告させる移動通信方法であって、
上位ノードが、収集した各移動局に係る情報に基づいて、前記対象移動局及び前記所望無線品質の測定及び報告方法を選択する工程と、
前記上位ノードが、無線基地局に対して、前記対象移動局及び前記所望無線品質の測定及び報告方法を通知する工程と、
前記無線基地局が、前記対象移動局に対して、前記所望無線品質の測定及び報告方法に基づいて該所望無線品質の測定及び報告を行うように指示する工程とを有することを特徴とする移動通信方法。
【請求項２】
対象移動局に所望無線品質を測定させて報告させる移動通信システムで用いられる上位ノードであって、
収集した各移動局に係る情報に基づいて、前記対象移動局及び前記所望無線品質の測定及び報告方法を選択するように構成されている選択部と、
無線基地局に対して、前記対象移動局及び前記所望無線品質の測定及び報告方法を通知するように構成されている通知部とを具備することを特徴とする上位ノード。
【請求項３】
対象移動局に所望無線品質を測定させて報告させる移動通信方法であって、
上位ノードが、収集した各移動局に係る情報に基づいて、前記対象移動局を選択する工程と、
前記上位ノードが、無線基地局に対して、前記対象移動局を通知する工程と、
前記無線基地局が、前記対象移動局に対して、事前に設定されている前記所望無線品質の測定及び報告方法に基づいて該所望無線品質の測定及び報告を行うように指示する工程とを有することを特徴とする移動通信方法。
【請求項４】
対象移動局に所望無線品質を測定させて報告させる移動通信システムで用いられる無線基地局であって、
上位ノードによって通知された前記対象移動局に対して、事前に設定されている前記所望無線品質の測定及び報告方法に基づいて該所望無線品質の測定及び報告を行うように指示するように構成されている指示部を具備することを特徴とする無線基地局。
【請求項５】
対象移動局に所望無線品質を測定させて報告させる移動通信方法であって、
上位ノードが、収集した各移動局に係る情報に基づいて、前記対象移動局及び前記所望無線品質の測定及び報告方法を選択する工程と、
前記上位ノードが、無線基地局に対して、前記対象移動局及び前記所望無線品質の測定及び報告方法を通知する工程と、
前記無線基地局が、通知された前記所望無線品質の測定及び報告方法を適用可能であると判定した場合に、通知された前記対象移動局に対して、該所望無線品質の測定及び報告方法に基づいて該所望無線品質の測定及び報告を行うように指示する工程とを有することを特徴とする移動通信方法。
【請求項６】
対象移動局に所望無線品質を測定させて報告させる移動通信システムで用いられる無線基地局であって、
上位ノードから通知された前記所望無線品質の測定及び報告方法を適用可能であると判定した場合に、該上位ノードから通知された前記対象移動局に対して、該所望無線品質の測定及び報告方法に基づいて該所望無線品質の測定及び報告を行うように指示するように構成されている指示部とを具備することを特徴とする無線基地局。
【発明の詳細な説明】
【技術分野】
【０００１】
本発明は、移動通信方法、上位ノード及び無線基地局に関する。
【背景技術】
【０００２】
従来の移動通信システムでは、通信事業者が、無線品質の改善を行うために、「Ｄｒｉｖｅ  Ｔｅｓｔ」を行うことによって、各エリアにおける無線品質の測定及び調査を行っていた。
【先行技術文献】
【非特許文献】
【０００３】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００４】
しかしながら、「Ｄｒｉｖｅ  Ｔｅｓｔ」では、通信事業者は、全てのエリアにおいて無線品質の測定及び調査を行い、問題となるエリアを見つけ、かかる無線品質の測定及び調査結果に基づいて、無線品質の改善を行う必要があり、高いコストが掛かるという問題点があった。
【０００５】
かかる問題点を解決するために、３ＧＰＰでは、対象移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法が議論されている。
【０００６】
そこで、本発明は、上述の課題に鑑みてなされたものであり、効率的に対象移動局ＵＥに所望無線品質を測定させて報告させることができる移動通信方法、上位ノード及び無線基地局を提供することを目的とする。
【課題を解決するための手段】
【０００７】
本発明の第１の特徴は、対象移動局に所望無線品質を測定させて報告させる移動通信方法であって、上位ノードが、収集した各移動局に係る情報に基づいて、前記対象移動局及び前記所望無線品質の測定及び報告方法を選択する工程と、前記上位ノードが、無線基地局に対して、前記対象移動局及び前記所望無線品質の測定及び報告方法を通知する工程と、前記無線基地局が、前記対象移動局に対して、前記所望無線品質の測定及び報告方法に基づいて該所望無線品質の測定及び報告を行うように指示する工程とを有することを要旨とする。
【０００８】
本発明の第２の特徴は、対象移動局に所望無線品質を測定させて報告させる移動通信システムで用いられる上位ノードであって、収集した各移動局に係る情報に基づいて、前記対象移動局及び前記所望無線品質の測定及び報告方法を選択するように構成されている選択部と、無線基地局に対して、前記対象移動局及び前記所望無線品質の測定及び報告方法を通知するように構成されている通知部とを具備することを要旨とする。
【０００９】
本発明の第３の特徴は、対象移動局に所望無線品質を測定させて報告させる移動通信方法であって、上位ノードが、収集した各移動局に係る情報に基づいて、前記対象移動局を選択する工程と、前記上位ノードが、無線基地局に対して、前記対象移動局を通知する工程と、前記無線基地局が、前記対象移動局に対して、事前に設定されている前記所望無線品質の測定及び報告方法に基づいて該所望無線品質の測定及び報告を行うように指示する工程とを有することを要旨とする。
【００１０】
本発明の第４の特徴は、対象移動局に所望無線品質を測定させて報告させる移動通信システムで用いられる無線基地局であって、上位ノードによって通知された前記対象移動局に対して、事前に設定されている前記所望無線品質の測定及び報告方法に基づいて該所望無線品質の測定及び報告を行うように指示するように構成されている指示部を具備することを要旨とする。
【００１１】
本発明の第５の特徴は、対象移動局に所望無線品質を測定させて報告させる移動通信方法であって、上位ノードが、収集した各移動局に係る情報に基づいて、前記対象移動局及び前記所望無線品質の測定及び報告方法を選択する工程と、前記上位ノードが、無線基地局に対して、前記対象移動局及び前記所望無線品質の測定及び報告方法を通知する工程と、前記無線基地局が、通知された前記所望無線品質の測定及び報告方法を適用可能であると判定した場合に、通知された前記対象移動局に対して、該所望無線品質の測定及び報告方法に基づいて該所望無線品質の測定及び報告を行うように指示する工程とを有することを要旨とする。
【００１２】
本発明の第６の特徴は、対象移動局に所望無線品質を測定させて報告させる移動通信システムで用いられる無線基地局であって、上位ノードから通知された前記所望無線品質の測定及び報告方法を適用可能であると判定した場合には、該上位ノードから通知された前記対象移動局に対して、該所望無線品質の測定及び報告方法に基づいて該所望無線品質の測定及び報告を行うように指示するように構成されている通知部とを具備することを要旨とする。
【発明の効果】
【００１３】
以上説明したように、本発明によれば、効率的に対象移動局ＵＥに所望無線品質を測定させて報告させることができる移動通信方法、上位ノード及び無線基地局を提供することができる。
【図面の簡単な説明】
【００１４】
【図１】本発明の第１の実施形態に係る移動通信システムの全体構成図である。
【図２】本発明の第１の実施形態に係る上位ノードの機能ブロック図である。
【図３】本発明の第１の実施形態に係る移動通信システムの動作を示すシーケンス図である。
【図４】本発明の第２の実施形態に係る交換局の機能ブロック図である。
【図５】本発明の第２の実施形態に係る移動通信システムの動作を示すシーケンス図である。
【図６】本発明の第３の実施形態に係る移動通信システムの動作を示すシーケンス図である。
【発明を実施するための形態】
【００１５】
（本発明の第１の実施形態に係る移動通信システム）
図１乃至図３を参照して、本発明の第１の実施形態に係る移動通信システムの構成について説明する。
【００１６】
図１に示すように、本実施形態に係る移動通信システムは、加入者情報サーバＨＳＳ（Ｈｏｍｅ  Ｓｕｂｓｃｒｉｂｅｒ  Ｓｅｒｖｅｒ）と、運用保守サーバＯＡＭ（Ｏｐｅｒａｔｉｏｎ  Ａｎｄ  Ｍａｉｎｔｅｎａｎｃｅ）と、交換局ＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１７】
本実施形態に係る移動通信システムは、対象移動局ＵＥに所望無線品質を測定させて報告させる「ＭＤＴ」を行うことができるように構成されている。本実施形態に係る移動通信システムで行うことが可能な「ＭＤＴ」には、「Ｉｍｍｅｄｉａｔｅ  ＭＤＴ」及び「Ｌｏｇｇｅｄ  ＭＤＴ」の２種類が想定されている。
【００１８】
ここで、「Ｉｍｍｅｄｉａｔｅ  ＭＤＴ」は、ＲＲＣ_Ｃｏｎｎｅｃｔｅｄ状態（Ａｃｔｉｖｅ状態）の対象移動局ＵＥに所望無線品質を測定させて報告させる「ＭＤＴ」である。３ＧＰＰでは、既存の「Ｍｅａｓｕｒｅｍｅｎｔ」の規定を拡張することによって「Ｉｍｍｅｄｉａｔｅ  ＭＤＴ」の規定を決めることが検討されている。
【００１９】
例えば、「Ｉｍｍｅｄｉａｔｅ  ＭＤＴ」では、ＲＲＣ_Ｃｏｎｎｅｃｔｅｄ状態の対象移動局ＵＥは、「Ｒｅｐｏｒｔｉｎｇ  Ｃｏｎｆｉｇｕｒａｔｉｏｎ（ＥｖｅｎｔやＰｅｒｉｏｄ等）」によって既定された報告条件が満たされた場合に、所望無線品質の測定結果を報告するように構成されていてもよい。
【００２０】
一方、「Ｌｏｇｇｅｄ  ＭＤＴ」は、ＲＲＣ_Ｉｄｌｅ状態の対象移動局ＵＥに所望無線品質を測定させて報告させる「ＭＤＴ」である。
【００２１】
例えば、「Ｌｏｇｇｅｄ  ＭＤＴ」では、ＲＲＣ_Ｉｄｌｅ状態の対象移動局ＵＥは、所望無線品質の測定結果を記憶しておき、ＲＲＣ_Ｃｏｎｎｅｃｔｅｄ状態に遷移する際に、かかる測定結果を報告するように構成されていてもよい。
【００２２】
図２に示すように、上位ノード１０は、収集部１１と、選択部１２と、通知部１３とを具備している。なお、上位ノード１０は、本実施形態に係る移動通信システムにおける運用及び保守に係る処理を行うための運用保守サーバＯＡＭ及び交換局ＭＭＥ等によって構成されている。
【００２３】
収集部１１は、「ＭＤＴ」を行うべき対象移動局ＵＥを選択するために必要な各移動局ＵＥに係る情報を収集するように構成されている。
【００２４】
例えば、収集部１１は、所定タイミングで、加入者情報サーバＨＳＳから、各移動局ＵＥの「ＵＥ  ｓｕｂｓｃｒｉｐｔｉｏｎ」を収集するように構成されている。例えば、収集部１１は、周規定に、加入者情報サーバＨＳＳから、各移動局ＵＥの「ＵＥ  ｓｕｂｓｃｒｉｐｔｉｏｎ」を収集するように構成されていてもよいし、対象移動局ＵＥを選択するためのトリガが検出された場合に、加入者情報サーバＨＳＳから、各移動局ＵＥの「ＵＥ  ｓｕｂｓｃｒｉｐｔｉｏｎ」を収集するように構成されていてもよい。
【００２５】
「ＵＥ  ｓｕｂｓｃｒｉｐｔｉｏｎ」は、加入者情報サーバＨＳＳによって管理されている移動局ＵＥの加入者情報であり、かかる移動局ＵＥがＭＤＴを行ってもよいか否かについて示す情報等を含む契約情報等を含む。ここで、例えば、通信事業者は、ＭＤＴを行ってもよいという契約内容の移動局ＵＥに対して、所定の特典を付与してもよい。
【００２６】
なお、「ＵＥ  ｓｕｂｓｃｒｉｐｔｉｏｎ」は、「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」や「ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）」や「ＳＰＩＤ（Ｓｅｒｖｉｃｅ  Ｐｒｏｖｉｄｅｒ  Ｉｄｅｎｔｉｔｙ）」等に関連付けられている。
【００２７】
また、収集部１１は、各移動局ＵＥの「ＵＥ  ｃａｐａｂｉｌｉｔｙ」を収集するように構成されている。
【００２８】
「ＵＥ  ｃａｐａｂｉｌｉｔｙ」は、交換局ＭＭＥ及び移動局ＵＥによって管理されている移動局ＵＥの能力情報であり、移動局ＵＥが「Ｉｍｍｅｄｉａｔｅ  ＭＤＴ」及び「Ｌｏｇｇｅｄ  ＭＤＴ」を行うことが可能であるか否かについて示す情報や、無線品質を記憶（ｌｏｇｇｉｎｇ）しておくためのバッファを有しているか否かについて示す情報等を含む。
【００２９】
ここで、例えば、交換局ＭＭＥは、ＮＡＳ（Ｎｏｎ  Ａｃｃｅｓｓ  Ｓｔｒａｔｕｍ）に係る「ＵＥ  ｃａｐａｂｉｌｉｔｙ」を管理しており、移動局ＵＥは、ＡＳ（Ａｃｃｅｓｓ  Ｓｔｒａｔｕｍ）に係る「ＵＥ  ｃａｐａｂｉｌｉｔｙ」を管理していてもよい。
【００３０】
なお、収集部１１は、移動局ＵＥによって管理されている「ＵＥ  ｃａｐａｂｉｌｉｔｙ」については、無線基地局ｅＮＢを介して収集するように構成されていてもよいし、無線基地局ｅＮＢ及び交換局ＭＭＥを介して収集するように構成されていてもよい。
【００３１】
選択部１２は、収集部１１によって収集された各移動局ＵＥに係る情報に基づいて、対象移動局ＵＥ及び「ＭＤＴ  ｐｏｌｉｃｙ」を選択及び決定するように構成されている。
【００３２】
ここで、「ＭＤＴ  ｐｏｌｉｃｙ」は、「ＭＤＴ」の実施方法（すなわち、所望無線品質の測定及び報告方法）を規定する情報であり、例えば、「ＭＤＴ  ｍｅａｓｕｒｅｍｅｎｔ  ｔｙｐｅ」や「ＭＤＴ  ｍｅａｓｕｒｅｍｅｎｔ  ａｒｅａ」や「ＭＤＴ  ｍｅａｓｕｒｅｍｅｎｔ  ｉｔｅｍ」等を含む情報である。
【００３３】
例えば、「ＭＤＴ  ｍｅａｓｕｒｅｍｅｎｔ  ｔｙｐｅ」は、「Ｉｍｍｅｄｉａｔｅ  ＭＤＴ」及び「Ｌｏｇｇｅｄ  ＭＤＴ」のいずれかを示す情報である。
【００３４】
また、「ＭＤＴ  ｍｅａｓｕｒｅｍｅｎｔ  ａｒｅａ」は、所望無線品質を測定する場所を示す情報であり、例えば、セル識別情報（セルＩＤ）や地理的エリア識別情報である。
【００３５】
さらに、「ＭＤＴ  ｍｅａｓｕｒｅｍｅｎｔ  ｉｔｅｍ」は、所望無線品質を示す情報であり、例えば、測定ＲＡＴ（Ｒａｄｉｏ  Ａｃｃｅｓｓ  Ｔｅｃｈｎｏｌｏｇｙ）や測定周波数を示す情報や、ＲＳＲＰ或いはＲＳＲＱ等を示す無線品質の種類を示す情報や、所望無線品質の測定結果の報告条件（ＥｖｅｎｔやＰｅｒｉｏｄ等）等を含む。
【００３６】
なお、「Ｉｍｍｅｄｉａｔｅ  ＭＤＴ」用の「ＭＤＴ  ｍｅａｓｕｒｅｍｅｎｔ  ｉｔｅｍ」と「Ｌｏｇｇｅｄ  ＭＤＴ」用の「ＭＤＴ  ｍｅａｓｕｒｅｍｅｎｔ  ｉｔｅｍ」とで別々の内容を示してもよい。
【００３７】
また、選択部１２は、移動局ＵＥごとに「ＭＤＴ  ｐｏｌｉｃｙ」を選択及び決定してもよいし、１つ又は複数の移動局ＵＥが属するグループごとに「ＭＤＴ  ｐｏｌｉｃｙ」を選択してもよいし、全ての移動局ＵＥに共通の「ＭＤＴ  ｐｏｌｉｃｙ」を選択してもよい。
【００３８】
また、例えば、選択部１２は、収集部１１によって収集された「ＵＥ  ｓｕｂｓｃｒｉｐｔｉｏｎ」及び「ＵＥ  ｃａｐａｂｉｌｉｔｙ」や、各移動局ＵＥの端末種別（Ｈａｎｄｓｅｔ  ｔｙｐｅ）等に基づいて、対象移動局ＵＥ及び「ＭＤＴ  ｐｏｌｉｃｙ」を選択及び決定するように構成されていてもよい。
【００３９】
ここで、移動局ＵＥの端末種別は、かかる移動局ＵＥの「ＵＥ  ｉｄｅｎｔｉｆｉｃａｔｉｏｎ（ＩＭＳＩやＩＭＥＩ等）」から特定可能であり、移動局ＵＥの端末種別によって、無線品質、例えば、ＲＳＲＰ（Ｒｅｃｅｉｖｅｄ  Ｓｉｇｎａｌ  Ｒｅｆｅｒｅｎｃｅ  Ｐｏｗｅｒ）やＲＰＲＱ（Ｒｅｃｅｉｖｅｄ  Ｓｉｇｎａｌ  Ｒｅｆｅｒｅｎｃｅ  Ｑｕａｌｉｔｙ）の測定精度が異なる。
【００４０】
さらに、選択部１２は、移動局ＵＥのユーザから受けた苦情に関する情報に基づいて、対象移動局ＵＥを選択するように構成されていてもよい。例えば、選択部１２は、苦情を受けたユーザの移動局ＵＥを、優先的に対象移動局ＵＥとして選択するように構成されていてもよい。
【００４１】
通知部１３は、対象移動局ＵＥに対して、選択部１２によって選択及び決定された対象移動局ＵＥ及び「ＭＤＴ  ｐｏｌｉｃｙ」を通知するように構成されている。
【００４２】
例えば、通知部１３は、無線基地局ｅＮＢに対して、対象移動局ＵＥ及び「ＭＤＴ  ｐｏｌｉｃｙ」を含む「Ｔｒａｃｅ  Ａｃｔｉｖａｔｉｏｎ」等のような「ＭＤＴ」を実行するように要求するメッセージを送信するように構成されている。
【００４３】
以下、図３を参照して、本実施形態に係る移動通信システムの動作について説明する。
【００４４】
図３に示すように、ステップＳ１００１において、上位ノード１０は、対象移動局ＵＥを選択するために必要な各移動局ＵＥに係る情報を収集する。
【００４５】
上位ノード１０は、ステップＳ１００２において、各移動局ＵＥに係る情報に基づいて、「ＭＤＴ」を行うべき１つ又は複数の対象移動局ＵＥを選択し、ステップＳ１００３において、かかる対象移動局ＵＥに対して適応すべき「ＭＤＴ  ｐｏｌｉｃｙ」を選択及び決定する。
【００４６】
ステップＳ１００４において、上位ノード１０は、無線基地局ｅＮＢに対して、選択した対象移動局ＵＥ及び「ＭＤＴ  ｐｏｌｉｃｙ」を含む「Ｔｒａｃｅ  Ａｃｔｉｖａｔｉｏｎ」を送信する。
【００４７】
ステップＳ１００５において、無線基地局ｅＮＢは、対象移動局ＵＥに対して、「Ｔｒａｃｅ  Ａｃｔｉｖａｔｉｏｎ」に含まれる「ＭＤＴ  ｐｏｌｉｃｙ」に基づいて「ＭＤＴ」を行うように指示する「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００４８】
対象移動局ＵＥは、ステップＳ１００６において、「ＭＤＴ  ｐｏｌｉｃｙ」に基づいて「ＭＤＴ」を行い、ステップＳ１００７において、無線基地局ｅＮＢに対して、所望無線品質の測定結果を含む「ＭＤＴ  Ｍｅａｓｕｒｅｍｅｎｔ  Ｒｅｐｏｒｔ」を送信する。
【００４９】
ステップＳ１００８において、無線基地局ｅＮＢは、上位ノード１０に対して、所望無線品質の測定結果を含む「ＭＤＴ  Ｍｅａｓｕｒｅｍｅｎｔ  Ｒｅｐｏｒｔ」を送信する。
【００５０】
本実施形態に係る移動通信システムによれば、既存の移動通信システムの機能を大幅に変更することなく、「ＭＤＴ」を行うべき対象移動局ＵＥ及びＭＤＴ  ｐｏｌｉｃｙ」を効率的に選択することができる。
【００５１】
（本発明の第２の実施形態に係る移動通信システム）
図４及び図５を参照して、本発明の第２の実施形態に係る移動通信システムの構成について説明する。以下、本実施形態に係る移動通信システムについて、上述の第１の実施形態に係る移動通信システムとの相違点に着目して説明する。
【００５２】
図４に示すように、無線基地局ｅＮＢは、収集部２１と、管理部２２と、指示部２３とを具備している。
【００５３】
収集部２１は、上述の収集部１１と同様の機能であり、各移動局ＵＥに係る情報を収集するように構成されている。
【００５４】
管理部２２は、事前に設定されている「ＭＤＴ  ｐｏｌｉｃｙ」を管理するように構成されている。かかる「ＭＤＴ  ｐｏｌｉｃｙ」は、移動局ＵＥごとに事前に設定されていてもよいし、１つ又は複数の移動局ＵＥが属するグループごとに事前に設定されていてもよいし、全ての移動局ＵＥに共通なものとして事前に設定されていてもよい。
【００５５】
指示部２３は、対象移動局ＵＥに対して、管理部２２において管理されている「ＭＤＴ  ｐｏｌｉｃｙ」に基づいて「ＭＤＴ」を行うように指示するように構成されている。
【００５６】
以下、図５を参照して、本実施形態に係る移動通信システムの動作について説明する。
【００５７】
図５に示すように、ステップＳ２００１において、上位ノード１０は、対象移動局ＵＥを選択するために必要な各移動局ＵＥに係る情報を収集する。
【００５８】
上位ノード１０は、ステップＳ２００２において、各移動局ＵＥに係る情報に基づいて、「ＭＤＴ」を行うべき１つ又は複数の対象移動局ＵＥを選択し、ステップＳ２００３において、無線基地局ｅＮＢに対して、選択した対象移動局ＵＥを含む「Ｔｒａｃｅ  Ａｃｔｉｖａｔｉｏｎ」を送信する。
【００５９】
無線基地局ｅＮＢは、ステップＳ２００４において、管理部２２から、事前に設定されている「ＭＤＴ  ｐｏｌｉｃｙ」を取得し、ステップＳ２００５において、対象移動局ＵＥに対して、かかる「ＭＤＴ  ｐｏｌｉｃｙ」に基づいて「ＭＤＴ」を行うように指示する「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００６０】
対象移動局ＵＥは、ステップＳ２００６において、「ＭＤＴ  ｐｏｌｉｃｙ」に基づいて「ＭＤＴ」を行い、ステップＳ２００７において、無線基地局ｅＮＢに対して、所望無線品質の測定結果を含む「ＭＤＴ  Ｍｅａｓｕｒｅｍｅｎｔ  Ｒｅｐｏｒｔ」を送信する。
【００６１】
ステップＳ２００８において、無線基地局ｅＮＢは、上位ノード１０に対して、所望無線品質の測定結果を含む「ＭＤＴ  Ｍｅａｓｕｒｅｍｅｎｔ  Ｒｅｐｏｒｔ」を送信する。
【００６２】
本実施形態に係る移動通信システムによれば、既存の移動通信システムの機能を大幅に変更することなく、「ＭＤＴ」を行うべき対象移動局ＵＥ及びＭＤＴ  ｐｏｌｉｃｙ」を効率的に選択することができる。
【００６３】
（本発明の第３の実施形態に係る移動通信システム）
図６を参照して、本発明の第３の実施形態に係る移動通信システムの構成について説明する。以下、本実施形態に係る移動通信システムについて、上述の第１の実施形態に係る移動通信システムとの相違点に着目して説明する。
【００６４】
本実施形態に係る無線基地局ｅＮＢの指示部２３は、上位ノード１０から通知された「ＭＤＴ  ｐｏｌｉｃｙ」を適用可能であると判定した場合には、上位ノード１０から通知された対象移動局ＵＥに対して、かかる「ＭＤＴ  ｐｏｌｉｃｙ」に基づいて「ＭＤＴ」を行うように指示するように構成されている。
【００６５】
例えば、指示部２３は、各移動局ＵＥの「ＵＥ  ｃａｐａｂｉｌｉｔｙ」に基づいて選択した「ＭＤＴ  ｐｏｌｉｃｙ」と上位ノード１０から通知された「ＭＤＴ  ｐｏｌｉｃｙ」とが一致する場合に、上位ノード１０から通知された「ＭＤＴ  ｐｏｌｉｃｙ」を適用可能であると判定するように構成されていてもよい。
【００６６】
以下、図６を参照して、本実施形態に係る移動通信システムの動作について説明する。
【００６７】
図５に示すように、ステップＳ３００１において、上位ノード１０は、対象移動局ＵＥを選択するために必要な各移動局ＵＥに係る情報を収集する。
【００６８】
上位ノード１０は、ステップＳ３００２において、各移動局ＵＥに係る情報に基づいて、「ＭＤＴ」を行うべき１つ又は複数の対象移動局ＵＥを選択し、ステップＳ３００３において、かかる対象移動局ＵＥに対して適応すべき「ＭＤＴ  ｐｏｌｉｃｙ」を選択する。
【００６９】
ここで、上位ノード１０は、各移動局ＵＥに係る情報として、各移動局ＵＥの「ＵＥ  ｃａｐａｂｉｌｉｔｙ」以外の情報に基づいて、「ＭＤＴ」を行うべき１つ又は複数の対象移動局ＵＥを選択する。
【００７０】
ステップＳ３００４において、上位ノード１０は、無線基地局ｅＮＢに対して、選択した対象移動局ＵＥ及び「ＭＤＴ  ｐｏｌｉｃｙ」を含む「Ｔｒａｃｅ  Ａｃｔｉｖａｔｉｏｎ」を送信する。
【００７１】
ステップ３００５において、無線基地局ｅＮＢは、各移動局ＵＥの「ＵＥ  ｃａｐａｂｉｌｉｔｙ」に基づいて「ＭＤＴ  ｐｏｌｉｃｙ」を選択する。ここで、無線基地局ｅＮＢは、選択した「ＭＤＴ  ｐｏｌｉｃｙ」に基づいて、上位ノード１０から通知された「ＭＤＴ  ｐｏｌｉｃｙ」を適用可能であるか否かについて判定する。
【００７２】
無線基地局ｅＮＢは、上位ノード１０から通知された「ＭＤＴ  ｐｏｌｉｃｙ」を適用可能であると判定した場合に、ステップＳ３００６において、対象移動局ＵＥに対して、かかる「ＭＤＴ  ｐｏｌｉｃｙ」に基づいて「ＭＤＴ」を行うように指示する「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００７３】
対象移動局ＵＥは、ステップＳ３００７において、「ＭＤＴ  ｐｏｌｉｃｙ」に基づいて「ＭＤＴ」を行い、ステップＳ３００８において、無線基地局ｅＮＢに対して、所望無線品質の測定結果を含む「ＭＤＴ  Ｍｅａｓｕｒｅｍｅｎｔ  Ｒｅｐｏｒｔ」を送信する。
【００７４】
ステップＳ３００９において、無線基地局ｅＮＢは、上位ノード１０に対して、所望無線品質の測定結果を含む「ＭＤＴ  Ｍｅａｓｕｒｅｍｅｎｔ  Ｒｅｐｏｒｔ」を送信する。
【００７５】
一方、無線基地局ｅＮＢは、上位ノード１０から通知された「ＭＤＴ  ｐｏｌｉｃｙ」を適用可能でないと判定した場合に、ステップＳ３００９において、上位ノード１０に対して、かかる「ＭＤＴ  ｐｏｌｉｃｙ」に基づいて「ＭＤＴ」を行うことができない旨を示す「Ｔｒａｃｅ  Ａｃｔｉｖａｔｉｏｎ  Ｆａｉｌｕｒｅ」を送信する。
【００７６】
なお、無線基地局ｅＮＢは、上位ノード１０から通知された「ＭＤＴ  ｐｏｌｉｃｙ」を適用可能でないと判定した場合に、かかる「ＭＤＴ  ｐｏｌｉｃｙ」を変更して、変更した「ＭＤＴ  ｐｏｌｏｃｙ」に基づいて「ＭＤＴ」を行うように指示する「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信してもよい。
【００７７】
本実施形態に係る移動通信システムによれば、既存の移動通信システムの機能を大幅に変更することなく、「ＭＤＴ」を行うべき対象移動局ＵＥ及びＭＤＴ  ｐｏｌｉｃｙ」を効率的に選択することができる。
【００７８】
以上に述べた実施形態の特徴は、以下のように表現されていてもよい。
【００７９】
本実施形態の第１の特徴は、対象移動局ＵＥに所望無線品質を測定させて報告させる移動通信方法であって、上位ノード１０が、収集した各移動局ＵＥに係る情報（例えば、「ＵＥ  ｃａｐａｂｉｌｉｔｙ」等）に基づいて、対象移動局ＵＥ及び「ＭＤＴ  ｐｏｌｉｃｙ（所望無線品質の測定及び報告方法）」を選択する工程と、上位ノード１０が、無線基地局ｅＮＢに対して、対象移動局ＵＥ及び「ＭＤＴ  ｐｏｌｉｃｙ」を通知する工程と、無線基地局ｅＮＢが、対象移動局ＵＥに対して、「ＭＤＴ  ｐｏｌｉｃｙ」に基づいて「ＭＤＴ」を行うように指示する工程とを有することを要旨とする。
【００８０】
本実施形態の第２の特徴は、対象移動局ＵＥに所望無線品質を測定させて報告させる移動通信システムで用いられる上位ノード１０であって、収集した各移動局ＵＥに係る情報に基づいて、対象移動局ＵＥ及び「ＭＤＴ  ｐｏｌｉｃｙ」を選択するように構成されている選択部１２と、無線基地局ｅＮＢに対して、対象移動局ＵＥ及び「ＭＤＴ  ｐｏｌｉｃｙ」を通知するように構成されている通知部１３とを具備することを要旨とする。
【００８１】
本実施形態の第３の特徴は、対象移動局ＵＥに所望無線品質を測定させて報告させる移動通信方法であって、上位ノード１０が、収集した各移動局に係る情報に基づいて、対象移動局ＵＥを選択する工程と、上位ノード１０が、無線基地局ｅＮＢに対して、対象移動局ＵＥを通知する工程と、無線基地局ｅＮＢが、対象移動局ＵＥに対して、事前に設定されている「ＭＤＴ  ｐｏｌｉｃｙ」に基づいて「ＭＤＴ」を行うように指示する工程とを有することを要旨とする。
【００８２】
本実施形態の第４の特徴は、対象移動局ＵＥに所望無線品質を測定させて報告させる移動通信システムで用いられる無線基地局ｅＮＢであって、上位ノード１０によって通知された対象移動局ＵＥに対して、事前に設定されている「ＭＤＴ  ｐｏｌｉｃｙ」に基づいて「ＭＤＴ」を行うように指示するように構成されている指示部２３を具備することを要旨とする。
【００８３】
本実施形態の第５の特徴は、対象移動局ＵＥに所望無線品質を測定させて報告させる移動通信方法であって、上位ノード１０が、収集した各移動局ＵＥに係る情報に基づいて、対象移動局ＵＥ及び「ＭＤＴ  ｐｏｌｉｃｙ」を選択する工程と、上位ノード１０が、無線基地局ｅＮＢに対して、対象移動局ＵＥ及び「ＭＤＴ  ｐｏｌｉｃｙ」を通知する工程と、無線基地局ｅＮＢが、通知された「ＭＤＴ  ｐｏｌｉｃｙ」を適用可能であると判定した場合には、通知された対象移動局ＵＥに対して、かかる「ＭＤＴ  ｐｏｌｉｃｙ」に基づいて「ＭＤＴ」を行うように指示する工程とを有することを要旨とする。
【００８４】
本実施形態の第６の特徴は、対象移動局ＵＥに所望無線品質を測定させて報告させる移動通信システムで用いられる無線基地局ｅＮＢであって、上位ノード１０から通知された「ＭＤＴ  ｐｏｌｉｃｙ」を適用可能であると判定した場合には、上位ノード１０から通知された対象移動局ＵＥに対して、かかる「ＭＤＴ  ｐｏｌｉｃｙ」に基づいて「ＭＤＴ」を行うように指示するように構成されている指示部２３とを具備することを要旨とする。
【００８５】
なお、上述の移動局ＵＥや加入者情報サーバＨＳＳや無線基地局ｅＮＢや交換局ＭＭＥや運用保守サーバＯＡＭの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや加入者情報サーバＨＳＳや無線基地局ｅＮＢや交換局ＭＭＥや運用保守サーバＯＡＭ内に設けられていてもよい。また、かかる記憶媒体及びプロセッサは、ディスクリートコンポーネントとして移動局ＵＥや加入者情報サーバＨＳＳや無線基地局ｅＮＢや交換局ＭＭＥや運用保守サーバＯＡＭ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８９】
ＵＥ…移動局
ＨＳＳ…加入者情報サーバ
ＯＡＭ…運用保守サーバ
ＭＭＥ…交換局
ｅＮＢ…無線基地局
１１、２１…収集部
１２…選択部
１３…通知部
２２…管理部
２３…指示部
【図１】
2011223118.tif 000003
【図２】
2011223118.tif 000004
【図３】
2011223118.tif 000005
【図４】
2011223118.tif 000006
【図５】
2011223118.tif 000007
【図６】
2011223118.tif 000008